(57)【特許請求の範囲】
【請求項１】
ペットボトルに、先端部にねじ係合形態の蓋体を備えた、市販されているペットボトルを使用し、
ペットボトルヘッド型水素発生器に、内部に水素発生部と水素発生部で発生した水素ガスをペットボトルの内部空間に導出させる水素導出路を形成し、
市販されているペットボトルに備えられた蓋体が、人為的にねじ係合形態が解除されて取り外され、
該取り外しによって露出されたねじ部に、ペットボトルに向けて形成された、露出されたねじ部に螺合されるねじ部をペットボトルヘッド型水素発生器に形成し、
ペットボトル先端部の蓋体が取り外されたねじ部に、ねじ係合形態によってペットボトルヘッド型水素発生器をペットボトルに装着させて、該ねじ部を再使用することで、水又は水を主成分とする液体を収容する内部空間を備えたペットボトルに、該ペットボトルに着脱自在に装着されるペットボトルヘッド型水素発生器とを結合させ、
ペットボトルヘッド型水素発生器が装着されたペットボトルを倒立逆回転させ、内部空間に収納された水又は水を主成分とする液体に水素発生部で発生した水素ガスを導出させて溶解させること
を特徴とする内部空間に収納された水又は水を主成分とする液体に水素が溶存するペットボトルの形成方法。
【請求項２】
請求項１に記載された内部空間に収納された水又は水を主成分とする液体に水素が溶存するペットボトルの形成方法において、内部空間の上部に空間に貯められた水素ガスを、ペットボトルを振盪させて、内部空間に収納された水又は水を主成分とする液体に溶解させることを特徴とする内部空間に収納された水又は水を主成分とする液体に水素が溶存するペットボトルの形成方法。
【請求項３】
請求項１に記載された内部空間に収納された水又は水を主成分とする液体に水素が溶存するペットボトルの形成方法に使用される、ペットボトルに装着されるペットボトルヘッド型水素発生器であって、
装着された時にペットボトル側に向けて開口した開口部およびが該開口部側面にねじ部設けられた、該ねじ部が、市販されているペットボトル先端部に設けられたねじ部を他側としてねじ係合形態されて、ペットボトルに着脱自在に装着されるペットボトルヘッド型水素発生器。
【発明の詳細な説明】
【技術分野】
【０００１】
本発明は、ペットボトルの形成方法およびペットボトルヘッド型水素発生器に関する。
【背景技術】
【０００２】
水素が溶存するペットボトルの形成方法が種々提案されている。
【０００３】
特許文献１には、水素水発生粒子を筒状本体のボトルの中に収容する構造の水素添加器具が記載されている。この文献に示されるように、ペットボトルの形成に当たっては、水素添加器具ボトルの中に収容する構造のものが主流をなしてきた。本件出願になる発明者等は、水素発生剤がペットボトルの中の水に溶解することを避けるために、水素発生剤をペットボトルの外部に装着される部分に収納することでこの問題を解決すことのできる水素添加器具を開発してきた。
【０００４】
特許文献２には、本件出願になる発明者等になる、本体と一体化可能な下蓋に水素発生剤を収納した構造を提案した。
【先行技術文献】
【特許文献】
【０００５】
【特許文献１】特開２００５−７３８０号公報
【特許文献２】特許第５４６２４２６号公報
【発明の概要】
【発明が解決しようとする課題】
【０００６】
従来多く提案されて来た水素添加器具は、特許文献１に記載されるように、水素発生剤がボトル内の水と直接的に接触して、無害な水素発生剤としても水の中に溶存することになって、水素が溶存するペットボトルとしての価値を減ずるものであった。特許文献２に記載された構造のものにあっては、水素発生剤をペットボトルの外部に装着される部分に収納することでこの問題を解決すことのできるものであるが、製造コストを低減しながらペットボトルの水を飲みたい時に簡便に気軽に水素水を生成することが要望された。
【０００７】
本発明は、かかる点に鑑み水素発生剤がボトル内の水と直接的に接触することを避けた構造であって、製造コストを低減しながらペットボトルの水を飲みたい時に簡便に気軽に水素水を生成することが出来るようにすることを目的とする。
【課題を解決するための手段】
【０００８】
本発明は、ペットボトルに装着されるペットボトルヘッド型水素発生器であって、
装着された時にペットボトル側に向けて開口した開口部およびが該開口部側面にねじ部設けられた、該ねじ部が、市販されているペットボトル先端部に設けられたねじ部を他側としてねじ係合形態されて、ペットボトルに着脱自在に装着されるペットボトルヘッド型水素発生器を提供する。
【０００９】
ペットボトルに、先端部にねじ係合形態の蓋体を備えた、市販されているペットボトルを使用し、
ペットボトルヘッド型水素発生器に、内部に水素発生部と水素発生部で発生した水素ガスをペットボトルの内部空間に導出させる水素導出路を形成し、
市販されているペットボトルに備えられた蓋体が、人為的にねじ係合形態が解除されて取り外され、
該取り外しによって露出されたねじ部に、ペットボトルに向けて形成された、露出されたねじ部に螺合されるねじ部をペットボトルヘッド型水素発生器に形成し、
ペットボトル先端部の蓋体が取り外されたねじ部に、ねじ係合形態によってペットボトルヘッド型水素発生器をペットボトルに装着させて、該ねじ部を再使用することで、水又は水を主成分とする液体を収容する内部空間を備えたペットボトルに、該ペットボトルに着脱自在に装着されるペットボトルヘッド型水素発生器とを結合させ、
ペットボトルヘッド型水素発生器が装着されたペットボトルを倒立逆回転させ、内部空間に収納された水又は水を主成分とする液体に水素発生部で発生した水素ガスを導出させて溶解させること
を特徴とする内部空間に収納された水又は水を主成分とする液体に水素が溶存するペットボトルの形成方法。
【００１０】
請求項１に記載された内部空間に収納された水又は水を主成分とする液体に水素が溶存するペットボトルの形成方法において、内部空間の上部に空間に貯められた水素ガスを、ペットボトルを振盪させて、内部空間に収納された水又は水を主成分とする液体に溶解させることを特徴とする内部空間に収納された水又は水を主成分とする液体に水素が溶存するペットボトルの形成方法。
【００１１】
請求項１に記載された内部空間に収納された水又は水を主成分とする液体に水素が溶存するペットボトルの形成方法に使用される、ペットボトルに装着されるペットボトルヘッド型水素発生器であって、
装着された時にペットボトル側に向けて開口した開口部およびが該開口部側面にねじ部設けられた、該ねじ部が、市販されているペットボトル先端部に設けられたねじ部を他側としてねじ係合形態されて、ペットボトルに着脱自在に装着されるペットボトルヘッド型水素発生器。
【発明の効果】
【００１７】
本発明は、ペットボトルが、先端部にねじ係合形態の蓋体を備えた、市販されているペットボトルであり、人為的にねじ係合形態が解除されて取り外されたときに、露出されたねじ部に、ペットボトルに向けて形成された、露出されたねじ部に螺合されるねじ部を備えることで、ペットボトル先端部に、ねじ係合形態によってペットボトルヘッド型水素発生器がペットボトルに着脱自在に装着可能とした。これによって、水素発生剤がボトル内の水と直接的に接触することを避けた構造であって、製造コストを低減しながらペットボトルの水を飲みたい時に簡便に気軽に水素水を生成することが出来るようになった。
【図面の簡単な説明】
【００１８】
【図１】本発明の実施例であるペットボトルとペットボトルヘッド型水素発生器との組み合わせの形態を示す図。
【図２】ねじ部４Ｂの形態を示す展開図。
【図３】逆止弁抑え１７の構造を示す図。
【発明を実施するための形態】
【００１９】
以下、本発明の実施例を図面に基づいて説明する。
【００２０】
図１は、本発明の実施例であるペットボトルとペットボトルヘッド型水素発生器との組み合わせの形態を示す図である。
【００２１】
図１において、ペットボトルとペットボトルヘッド型水素発生器との組み合わせの形態１００は、ペットボトル１とペットボトルヘッド型水素発生器２との組み合わせからなる。
【００２２】
ペットボトルヘッド型水素発生器２は、ペットボトル１の頭部にある蓋部の構成が利用されてペットボトル１に一体化されるので、ペットボトル型と称している。以下、ペットボトルヘッド型水素発生器２を水素発生器２と称して説明する。
【００２３】
ペットボトル１は、市販されているペットボトルであり、ペットボトル本体３の先端部のくびれた部分にねじ係合形態の蓋体を備える。この構造は、日頃よく目にするものであり、詳細な説明を要さない。図１に、ペットボトル１が倒立されて逆配置とされた状態で記載されている。逆配置としているのは、本実施例の説明のためである。この図において、蓋体が、人為的にねじ係合形態が解除されて取り外された状態が示されている。人為的にねじ係合形態が解除されて蓋体が取り外された状態では、蓋体のあった部分にねじ部４が露出する。蓋体がはずされて、通常、ペットボトル内の水あるいは水を主体とした液体が飲用に供される。
【００２４】
この実施例によれば、ペットボトル内の水あるいは水を主体とした液体に水素ガスが溶解され、水素ガスが溶存した状態の水あるいは水を主体とした液体が飲用に供される。
【００２５】
ペットボトル１は、内部空間に水又は水を主成分とする液体を未満杯の状態で収容しており、上部空間部分には、空気域が形成してある。倒立状態で、ねじ部４Ａの上側に突起部５が形成されている。
【００２６】
水素発生器２は、プラスチック材料で作られ、水素発生器本体１１とこれに装着されるキャップ１２とから構成され、ペットボトル長手方向に対する直角方向の断面積がペットボトルの同方向断面積と同等かそれ以下のものとされる。
【００２７】
水素発生器２は、外面円形状をなし水素発生器本体１１とこれに装着されるキャップ１２とは同じ高さ寸法にしてある。この寸法は、適宜変えることが出来る。例えば、キャップの厚さを極めて薄いものして製造コストを低減したものしてもよい。
【００２８】
市販されているペットボトルに備えられた蓋体が、人為的にねじ係合形態が解除されて取り外されたときに、露出されたねじ部４Ａがペットボトル１のくびれた部分の先端部にそのままの状態で取り残される。
【００２９】
水素発生器本体１１は、上面３１に、上面３１から下方に明けられた溝３２を備える。溝３２の内面にねじ部４Ｂが設けられる。ねじ部４Ｂは、市販されているペットボトルに備えられた蓋体が、人為的にねじ係合形態が解除されて取り外されたときに、露出されたねじ部４Ａに、螺合されるねじ部となる。ねじ部４Ａに対するねじ部４Ｂの螺合係合によってペットボトル先端部に、ねじ係合形態が形成される。このねじ係合形態は、取り外された蓋体と同様なものなり、係合する相手が水素発生器本体１１になっても、しっかりと水素発生器本体１１を保持することが出来る。このねじ係合形態によってペットボトルヘッド型水素発生器がペットボトルに着脱自在に装着可能とされる。
【００３０】
溝３２の底には、パッキング３３は設けられ、ねじ係合によって挿入されたねじ部４Ａの先端を受け止め、ねじ係合形態が壊されるのを防止する。
【００３１】
ねじ部４Ｂの形態の１例を図２に示す。
【００３２】
図２は、ねじ部４Ｂの形態を展開図で示す。本例の場合、ねじ山４１が断続したものとなっている。連続した山形状としてもよい。ねじ山ピッチは予め定められたものとなる。
【００３３】
このように、ねじ山係合形態が、蓋体の取り外し後に再度形成されるが、この再度の形成は、蓋体に使用されたねじ部４Ａが再度利用されるものであるので、極めて簡便に安価に構成される。
【００３４】
水素発生器２は、ペットボトル本体３に比べて小さいものとされ、ペットボトル本体３に外付けされる。
【００３５】
キャップ１２に水素発生部１３が形成され、水素発生器本体１１に水素発生部１３で発生した水素ガスをペットボトルの内部空間に導出させる水素導出路１４が形成され、水素導出路１４は、内部空間に通ずる小孔１５を備える。また、水素導出路１４には、逆止弁が設けられる。
【００３６】
逆止弁１６は、逆止弁抑え１７によって支持され、位置が固定される。
【００３７】
キャップ１２は、内部に２段段差のある空間部１８が形成され、上部の広空間部に逆止弁抑え１７が配置される。下部の狭空間部に水素発生剤２１が収納される。下部の狭空間部が、水素発生部（あるいは水素発生室）１３となる。
【００３８】
逆止弁１６と逆止弁抑え１７との間には、平座金２２およびフイルター２３が配置されている。
【００３９】
図３に、逆止弁抑え１７の構造を示す。図３（a）がその平面図であり、図３（b）が側面図である。逆止弁抑え１７は、十字状の突起２４を備えて、平座金２２およびフイルター２３を抑える。逆止弁抑え１７は、３つの小孔２５を備える。
【００４０】
水素発生器本体１１は、空間部１８に向けて延びる円筒状のリング部２６を備える。キャップ１２は、空間部１８の内部に水素発生剤21を有する。
【００４１】
リング部２６は、外面にねじ部が設けられ、空間部１８の内方に設けた他側のねじ部が設けられた係合片２７と係合することで、キャップ１２を水素発生器本体１１に固定する。リング部２６は、広空間部内を貫通し、段差面に設けたリング溝に挿入したパッキング２８によって止められ、リング部の内外を分離し、狭空間部すなわち水素発生部１３で発生した水素ガスが外部に洩れることが阻止される。水素発生部１３で発生した水素ガスは、3つの小孔２５から平座金２２およびフイルター２３の下側に導かれ、更には逆止弁１６へと導かれる。
【００４２】
小孔２５の数は、3つに限定されない。2つでもよいし、4つ以上あってもよい。小孔25によって水素発生部１３と水素導出路１４とを接続することで、水素発生部１３と水素導出路１４との接続は小孔による接続とされ、逆止弁１６をペットボトル内の水が流れ出るようなことがあっても、小孔２５から水素発生部１３への流出する水量は極めて少ないものとすることができ、水素発生剤２１の水素発生機能を阻害することを防止することが出来る。
【００４３】
このように、ペットボトルに装着されるペットボトルヘッド型水素発生器２は、装着された時にペットボトル側に向けて開口した開口部２０およびがこの開口部側面にねじ部４Ｂ設けられ、このねじ部４Ｂが、市販されているペットボトル先端部に設けられたねじ部４Ａを他側としてねじ係合形態されて、ペットボトル１に着脱自在に装着される．
水素発生剤２１は、典型的には酸化カルシウムとアルミニウム粉末で構成され、袋体に入れられる。これらの材料になる水素発生剤は、水が加えられると発熱して水素ガスを発生させる。この反応はよく知られていて、これ以上の説明を要しない。酸化カルシウムとアルミニウム粉末以外の水素発生剤が用いられてもよい。水は、当初より水素発生部に配置しておいて、ペットボトルの倒立によって自動的に加えられるようにしてもよいし、飲用者が別の水保管具に保持された水を飲用時に加え利用にしてもよい。水素発生剤は、数ｇ程度で、水の量は、１ｃｃあるいは２ｃｃ程度のきわめて少ないものとなる。水の量は、水素発生剤量に合わせて適宜定められる。
【００４４】
水素発生部１３で発生した水素ガスは、フイルター２３、逆止弁１６、小孔１５を通過してペットボトル１内に導入される。
【００４５】
内部空間に収納された水又は水を主成分とする液体に水素が溶存するペットボトルの形成方法は、次のステップの組み合わせで形成される。
【００４６】
ペットボトルに、先端部にねじ係合形態の蓋体を備えた、市販されているペットボトルを使用する。
【００４７】
ペットボトルヘッド型水素発生器に、内部に水素発生部と水素発生部で発生した水素ガスをペットボトルの内部空間に導出させる水素導出路を形成する。
【００４８】
市販されているペットボトルに備えられた蓋体が、人為的にねじ係合形態が解除されて取り外されたときに、露出されたねじ部に、ペットボトルに向けて形成された、露出されたねじ部に螺合されるねじ部を形成する。
ペットボトル先端部に、ねじ係合形態によってペットボトルヘッド型水素発生器をペットボトルに装着させて、水又は水を主成分とする液体を収容する内部空間を備えたペットボトルに、該ペットボトルに着脱自在に装着されるペットボトルヘッド型水素発生器とを結合させる。
【００４９】
ペットボトルヘッド型水素発生器が装着されたペットボトルを倒立逆回転させ、内部空間に収納された水又は水を主成分とする液体に水素発生部で発生した水素ガスを導出させて溶解させる。
【００５０】
この場合に、内部空間の上部に空間に貯められた水素ガスを、ペットボトルを振盪させて、内部空間に収納された水又は水を主成分とする液体に溶解させる。
【００５１】
上述して操作は、飲用者が実施することになるので、取扱い説明を水素発生器表面に記載して添付しておくことは有用である。特に、内部空間には、水素ガスが溜まるものであり、振盪させることで水素ガスを水又は水を主成分とする液体に溶解させる量が増大することを説明しておくことが有用である。
【００５２】
このようにして、ペットボトルとペットボトルヘッド型水素発生器との組み合わせが内部空間に水又は水を主成分とする液体を未満杯の状態で収容したペットボトルと、該ペットボトルに着脱自在に装着されるペットボトルヘッド型水素発生器とから構成され、市販されているペットボトルに備えられた蓋体が、人為的にねじ係合形態が解除されて取り外されたときに、露出されたねじ部に、ペットボトルに向けて形成された、露出されたねじ部に螺合されるねじ部を備え、ペットボトル先端部に、ねじ係合形態によってペットボトルヘッド型水素発生器がペットボトルに着脱自在に装着可能とされた形態が構成される。
【００５３】
ペットボトルとペットボトルヘッド型水素発生器との組み合わせが倒立された時に、内部空間の上部に、発生した水素ガスが貯められる。
【００５４】
上述されたペットボトルヘッド型水素発生器にあっては、露出されたねじ部とこれに螺合されるねじ部とによるねじ螺合部が、水素発生器本体の内部に形成されて外部に露出しない形態であったが、露出されたねじ部とこれに螺合されるねじ部とによるねじ螺合部が、水素発生器本体の外部に、露出して形成された形態にしてもよい。
【００５５】
このように、水素発生剤がボトル内の水と直接的に接触することを避けた構造であって、特許文献２に記載された構造のものに比べて小型化され、製造コストを低減しながらペットボトルの水を飲みたい時に簡便に気軽に水素水を生成することが出来るようになった。
【符号の説明】
【００５６】
１…市販のペットボトル、２…ペットボトルヘッド型水素発生器（水素発生器）、３…ペットボトル本体、４…ねじ部、４Ａ…露出されたねじ部、４Ｂ…螺合されるねじ部螺合されるねじ部、１１…水素発生器本体、１２…キャップ、１３…水素発生部（狭空間部）、１４…逆止弁、１７…逆止弁抑え、１００…ペットボトルとペットボトルヘッド型水素発生器との組み合わせ。
【要約】
【課題】水素発生剤がボトル内の水と直接的に接触することを避けた構造であって、製造コストを低減しながらペットボトルの水を飲みたい時に簡便に気軽に水素水を生成することが出来るようにする。
【解決手段】市販されているペットボトルに備えられた蓋体が、人為的にねじ係合形態が解除されて取り外されたときに、露出されたねじ部に、露出されたねじ部に螺合されるねじ部を備え、ペットボトル先端部に、ねじ係合形態によってペットボトルヘッド型水素発生器がペットボトルに着脱自在に装着可能とされた。
【選択図】図１【図１】
0005799188.tif 000002
【図２】
0005799188.tif 000003
【図３】
0005799188.tif 000004